(57)【要約】【課題】多種類の便器に適合して製造や取り付けをしやすくし、身体障害の状態により望まれる左右別々の手摺高さ調整や、症状に応じてオプション品の追加取付等が可能なトイレ用補助装置を提供する。【解決手段】便器８周囲に設置するフレーム３に肘掛手摺２を取り付けるトイレ用補助装置１において、左右一対の肘掛手摺２はそれぞれ高さ調整手段２９，３４を介し、フレーム３との間に空間部１９を形成して、左右個別に高さ調整自在にこのフレーム３へ固着するトイレ用補助装置１である。【選択図】　　　　図１
2004000347.tif 000002
【特許請求の範囲】
【請求項１】
便器周囲に設置するフレームに肘掛手摺を取り付けるトイレ用補助装置において、左右一対の肘掛手摺はそれぞれ高さ調整手段を介し、フレームとの間に空間部を形成して、左右個別に高さ調整自在に該フレームへ固着することを特徴とするトイレ用補助装置。
【請求項２】
肘掛手摺は、フレームに設けたポール挿入部及び手摺取付部により前後で支持してなり、該肘掛手摺の前部は前側高さ調整手段を介装したポール状取付部をポール挿入部に挿入固定し、同肘掛手摺の後部は後側高さ調整手段により手摺取付部に連結固定する請求項１記載のトイレ用補助装置。
【請求項３】
フレームは、便器両側の床面に対する接地部と、該接地部から上方向に延設する支柱部と、該支柱部の上部から後方向に延設する手摺取付部と、該手摺取付部の後部に便器上方で架設する連結部とからなり、該フレームの前記手摺取付部に肘掛手摺を取り付ける請求項１記載のトイレ用補助装置。
【請求項４】
肘掛手摺は、ポール挿入部から上方に突出するポール状取付部に補助手摺を装着する請求項２のトイレ用補助装置。
【請求項５】
肘掛手摺は、前側高さ調整手段及び後側高さ調整手段を個別に高さ調整自在にした請求項２のトイレ用補助装置。
【請求項６】
フレームは、肘掛手摺よりも上方に配置した連結部に背もたれを装着する請求項３のトイレ用補助装置。
【請求項７】
フレームは、支柱部の下方部位を後方へ屈曲させる請求項３のトイレ用補助装置。
【請求項８】
フレームは、支柱部の下方部位を側方へ屈曲させる請求項３のトイレ用補助装置。
【請求項９】
フレームは、接地部を後方へ伸縮自在とし、該接地部後端に便器後方のトイレ壁面に対する固定部を設ける請求項３のトイレ用補助装置。
【発明の詳細な説明】
【０００１】
【発明の属する技術分野】
本発明は、高齢者等がトイレを使用する際の移動、起立又は着座等の用便動作や姿勢保持の労力を緩和又は軽減するために用いるトイレ用補助装置に関する。
【０００２】
【従来の技術】
トイレ用補助装置は、高齢者や身体障害者（以下高齢者等で代表する）がトイレを使用する際、移動、起立又は着座等の用便動作に要する労力を緩和又は軽減するために用いられる。従来のトイレ用補助装置は、前後にパイプ材からなる脚部材を備え、手摺の前後に脚部材と上下方向摺動自在に嵌合する小径のパイプ材からなる締着基礎部材を垂下、設置し、締着基礎部材が高さ方向に複数の係合部を備え、脚部材外周から係止部材を締着基礎部材外周の係合部の一つに係合させて、手摺の高さを調節、固定し得るように構成したもの（特開平０９−０２８６２３号）、洋式便器の両側上方に左右一対で床に対して略水平の手摺部を有するＵ字状フレーム体を備えたもの（特開２０００−３３３８８５）、手摺の後端を本体縦フレームに跳ね上げ回転可能に取り付けた構成のもの（特開２００１−９５７２９）を例示できる。
【０００３】
【発明が解決しようとする課題】
近年、便器の側方には洗浄器の操作盤が設置されていることが多いため、上記特開平０９−０２８６２３号及び特開２００１−９５７２９のトイレ用補助装置では、後の脚部材又は前後の脚部材の下端部間を繋ぐ水平な基部が邪魔になって、洋式便器の上方又は前方から差し込んで設置できない問題がある。特に、特開２００１−９５７２９のトイレ用補助装置は手摺の高さ調整ができず、跳ね上げ回転軸構造が大きくなり，またコストも高くついていた。したがって、例えば後の左右脚部材の連結部材を左右分割可能なフレーム構造にする等、構造上の工夫が必要となり、トイレ用補助装置としての製造コストが高価になっていた。
【０００４】
他方、特開２０００−３３３８８５のトイレ用補助装置は、一体型のフレーム構造でありながら前後の脚部材がないため、洋式便器の前方から差し込んで設置でき、上記のような構造上の工夫が不要であるので、製造コストを抑えることができる。しかし、手摺部の高さ調整ができない問題がある。仮に、前方の脚部材に対してＵ字状フレーム体を高さ調整可能に取り付け、手摺部を高さ調整可能にした場合では、左右別々に手摺部を高さ調整できない不便さがある。そこで、多種類の便器に適合して製造や取り付けをしやすくし、身体障害の状態により望まれる左右別々の手摺高さ調整や、症状に応じてオプション品の追加取付等が可能なトイレ用補助装置を開発するため、検討した。
【０００５】
【課題を解決するための手段】
検討の結果開発したものが、便器周囲に設置するフレームに肘掛手摺を取り付けるトイレ用補助装置において、左右一対の肘掛手摺はそれぞれ高さ調整手段を介し、フレームとの間に空間部を形成して、左右個別に高さ調整自在にこのフレームへ固着するトイレ用補助装置である。具体的には、肘掛手摺はフレームに設けたポール挿入部及び手摺取付部により前後で支持してなり、この肘掛手摺の前部は前側高さ調整手段を介装したポール状取付部をポール挿入部に挿入固定し、同肘掛手摺の後部は後側高さ調整手段により手摺取付部に連結固定する構成が、フレームは便器両側の床面に対する接地部と、この接地部から上方向に延設する支柱部と、この支柱部の上部から後方向に延設する手摺取付部と、この手摺取付部の後部に便器上方で架設する連結部とからなり、このフレームの前記手摺取付部に肘掛手摺を取り付ける構成がよい。
【０００６】
肘掛手摺は、左右個別に高さ調整可能で、フレームに対して空間部を形成している。これにより、高齢者や身体障害者の症状に合わせて肘掛手摺の高さを左右別々に設定できるし、空間部に対する肘掛手摺の部分を手で握る場合、フレームの手摺取付部が邪魔にならないから、高齢者や身体障害者がトイレを使用する際の起立及び着座、着座姿勢保持の労力を緩和又は軽減できる。肘掛手摺の前側及び後側高さ調整手段は、それぞれ協働して高さ調整可能にするほか、例えば前側高さ調整手段及び後側高さ調整手段を個別に高さ調整自在にし、肘掛手摺を傾倒姿勢でフレームに対して固着できるようにすると、肘掛手摺の前後の高さを異なるものにでき、例えば高齢者や身体障害者の症状に合わせてより細かな設定が可能となる利点がある。また、肘掛手摺は、ポール挿入部から上方に突出するポール状取付部に補助手摺を装着すると、トイレ用補助装置に至る高齢者等の移動に対する案内として補助手摺を提供できるようになる。
【０００７】
フレームは、肘掛手摺よりも上方に配置した連結部に背もたれを装着すると、高齢者や身体障害者がトイレを使用する際の着座姿勢保持の労力を緩和又は軽減できる。また、全体構造として、フレームの支柱部の下方部位を後方へ屈曲させたり、支柱部の下方部位を側方へ屈曲させると、足元スペースが広く邪魔にならず、高齢者等がトイレを使用する際の用便動作の労力を緩和又は軽減できることに加え、介助者が起立や着座を介助する際の労力を緩和又は軽減できる。更に、フレームの接地部を後方へ伸縮自在とし、この接地部後端に便器後方のトイレ壁面に対する固定部を設けると、トイレ床面への固定が困難な場合でも設置できる。
【０００８】
【発明の実施の形態】
以下、本発明の実施形態について図を参照しながら説明する。図１は本発明のトイレ用補助装置１を設置した状態を表す側面図、図２は同状態を表す平面図、図３は同状態を表す正面図である。
【０００９】
本例のトイレ用補助装置１におけるフレーム３は、図１〜図３に見られるように、金属製パイプを折り曲げて形成した左右の下フレーム４と、両下フレーム４，４を連結する上フレーム５とからなる２種３部材を、溶接結合により一体化した一体構造である。下フレーム４は、接地部６及び支柱部７を１本の金属製パイプを折り曲げて一体に形成している。接地部６は、便器（洋式便器）８両側のトイレ床面９に接地して装置全体を支持する部位で、トイレ床面９にビス留め等により固着する固定板１０，１０を前後に設けてある。支柱部７は、上下方向に便器８や操作盤１１を避けて立設する部分である。支柱部７は、上端を開放し、鉛直方向へ真直に延びるポール挿入部１２を形成している。ポール挿入部１２は、後述する肘掛手摺２の前側から垂下させたポール状取付部１３に楔スペーサ１４（図４参照）を外嵌してから上方より挿入する。前記楔スペーサ１４の取付は左右の肘掛手摺２毎に独立であるから、左右各肘掛手摺２の前部は、ポール挿入部１２に対して左右個別に高さ調整及び固着できる。
【００１０】
上フレーム５は、１本の金属製パイプを平面視で同一方向に４５度づつ４回折り曲げ、左右一対の手摺取付部１５，１５と、前記手摺取付部１５，１５に架設した外形の連結部１６を一体に形成している。手摺取付部１５は、垂直方向に折り曲げており、連結部１６より一段下がった位置から前方へ延びる上段１７と、この上段１７から前方下向きに操作盤１１を避けて屈曲し、支柱部７の上端に向けて降ろした下段１８とを形成している。これにより、肘掛手摺２と手摺取付部１５との間に空間部１９が確保できる。この空間部１９は、肘掛手摺２を手で握る場合に握りやすくする「逃がし」の働きを有している。また、後述するオプション用の補助手摺２０をポール状取付部１３に取り付けする際の「逃がし」の役割も有している。
【００１１】
連結部１６は、手摺取付部１５の上段１７に向けて延びる斜行角部２１，２１を両端に設け、中央にタンク２２との緩衝材となる緩衝パッド２３を装着している。緩衝パッド２３を介して連結部１６をタンク２２に当接させることで、トイレ用補助装置１に対する寄り掛り負荷の一部をタンク２２で支持する。斜行角部２１は、図２に見られるように、トイレ角部に設けられるタンク２４との干渉を回避し、本発明のトイレ用補助装置１がどのようなトイレにも適用できるようにする。トイレ角部にタンク２４がある場合、緩衝パッド２３を移動させタンク２４に当接させる。また、斜行角部２１は肘を載せたり、手で持つ等して上方から負荷のかかる手摺取付部１５の回転軸を斜めにすることで、前記手摺取付部１５の回転運動を抑制する働きも有する。この他、連結部１６には背もたれ２５が取り付けてあり、このため連結部１６は高い位置に設定している。背もたれ２５は、図７に示すように連結部１６の前側に宛がった背もたれ２５の後側から、連結部１６を抱持する形状の取付ブラケット２６を宛がいネジ止めして取り付ける。
【００１２】
左右一対の下フレーム４及び１部材の上フレーム５は、手摺取付部１５の先端に当たる下段１８を支柱部７の後面に突き当てて溶接することにより、一体型のフレーム３を構成する。支柱部７のポール挿入部１２に対して、接地部６及び手摺取付部１５を同じ後方へ延ばしているため、手摺に肘を載せたり、手で上方から押さえたりしても、安定性を欠くことはない。本例のフレーム３は、それぞれ１本の金属パイプから両フレーム５，６を形成するものであるが、両フレーム５，６の各部の一部又は全部を別体に形成し、それぞれを個別に接続してもよい。
【００１３】
肘掛手摺２は、フレーム３に対して高さ調整及び固着可能に取り付ける板状体であるが、図２に示すように、後側部分は肘を掛けるのに十分な幅の肘当て部２７に、前側部分は起立や着座動作の際に手で握りやすい幅狭の握り部２８に形成し、更に握り部２８の先端部分は内方へ屈曲させて、特に起立動作の際に引き寄せしやすい形状にしている。
【００１４】
図４は肘掛手摺２の前側の高さ調整及び固定手段の様子を表す拡大側面図である。肘掛手摺２の前側は、肘掛手摺２に設けたポール状取付部１３と支柱部７のポール挿入部１２との間に前側高さ調整手段２９を介装して取り付ける。図４に示すように、肘掛手摺２から支柱部７のポール挿入部１２に向けて垂下させたポール状取付部１３に、楔スペーサ１４を上下方向の位置決めをして外嵌し、楔スペーサ１４をポール挿入部１２へ上方から挿入する。楔スペーサ１４は、下向きに漸次小径となる樹脂製の円錐筒体を左右に２分割した形状の楔片３０，３０で構成し、楔片３０，３０の内周面全周に連続して設けた内周突条３１を、ポール状取付部１３の外周面全周に連続して設けた外周溝３２に嵌め込んだ状態で外嵌し、楔スペーサ１４をポール挿入部１２の上端に設けた上向きに漸次大径となるテーパ部３３に押し込み、楔作用で強固に固定する。本例では、ポール状取付部１３に上下７本の外周溝３２が設けてあり、内周突条３１を嵌め込む外周溝３２を選択して楔スペーサ１４をポール状取付部１３に取り付けることで、肘掛手摺２の前側の高さを変更できる。外周溝３２のピッチは２０ｍｍ程度に設定するのがよく、本例では４段階に高さ調整できるようにしている。
【００１５】
図５は肘掛手摺２の後側の高さ調整及び固定手段の様子を表す拡大側面図である。肘掛手摺２の後側は、手摺取付部１５との間に後側高さ調整手段３４を介装して取り付ける。具体的には、一端が肘掛手摺２の後部に設けた枢着部３５により回動可能に枢着され、他端が手摺取付部１５の上段１７の前後方向に複数個設けた固定孔５１の一つにボルトとナットの締結によって固定されるリンク部材３６を用いる。リンク部材３６は、手摺取付部１５に上方から被せて両側から挟み込む形状に鋼板を折り曲げ形成した構造であり、より薄い板厚で必要強度を確保できるようにしている。
【００１６】
リンク部材３６は、最も前方寄りの固定孔５１に固定すると、枢着部３５によって回動して肘掛手摺２に対して傾倒するから、肘掛手摺２を最も低い位置で支持する。逆に、リンク部材３６は、最も後方寄りの固定孔５１に固定すると、枢着部３５で回動して起立するから、肘掛手摺２を最も高い位置に支持する。固定孔５１は、上記楔スペーサ１４による肘掛手摺２の前側の高さ調整に適応させ、２０ｍｍピッチで４段階に調節可能にしておく。本例の後側高さ調整手段３４によれば、手摺取付部１５から下方に突出する部分が一切存在しないから、操作盤１１を操作しやすい利点がある。更に本例では、図４に示すように、肘掛手摺２に対してポール状取付部１３を枢着部３７によって回動可能に取り付けているので、例えば図１中二点鎖線で示すように、肘掛手摺２の前側を低く、後側を高くすることが可能である。こうした肘掛手摺２の傾倒は、リンク部材３６が手摺取付部１５と肘掛手摺２の両方に対して自由に取付角度を設定できることで実現している。
【００１７】
図８は、本発明のトイレ用補助装置１に対する補助手摺２０の取付手段の様子を表す要部断面図である。本発明のトイレ用補助装置１は、高齢化に伴う身体機能の低下や身体障害の内容によって異なる個々の要求に応えるため、オプションの補助手摺２０を簡単に取り付けることができるようにしている。本例の補助手摺２０は、立小便時の支えとなる。補助手摺２０は、前側に高さ調整可能にトイレ床面９に接地する支持部３８が、後側に右側のポール状取付部１３に回動自在に取り付けられる連結部３９が設けられた構造で、自由に旋回できるので、便器８側に引き寄せると着座姿勢からの立ち上がり補助として使用できる。
【００１８】
ポール状取付部１３は、後方に存在する空間部１９を利用し、前側高さ調整手段２９に用いた楔スペーサ１４をポール状取付部１３に外嵌し、連結部３９の先端に設けたテーパ部３３に圧入して得られる楔作用を利用して取り付ける。具体的には、予めポール挿入部１２に連結部３９のテーパ部３３を通し、下方位置に先端に楔スペーサ１４を取り付け、この楔スペーサ１４の上方からテーパ部３３を降ろして圧入させる。よって、前側高さ調整手段２９に用いた楔スペーサ１４やテーパ部３３とは上下逆転させた関係、すなわち漸次下向きに大径となる向きに用いる。前側高さ調整手段２９と同様で、取付や調整作業が容易である。補助手摺２０は、トイレの入口との関係で使い勝手の良い方に取り付ければよい。
【００１９】
図９、図１０及び図１１は、別例の肘掛手摺２の後側における高さ調整及び固定手段の様子を表す拡大側面図である。基本的には、図５の後側高さ調整手段３４の例と同様、リンク部材３６の固定部５０の手摺取付部１５の上段１７に対する固定位置の選択及び締結によって高さ調整及び固定する。図９の例は、リンク部材３６の固定部５０に設ける孔取付位置変更用孔５２を２箇所に増やし、手摺取付部１５の上段１７に設ける固定孔５１を１ヶ所減らしたものである。図１０の例は、更にリンク部材３６の固定部５０に設ける孔を２箇所増やして４ヶ所とし、固定孔５１を１ヶ所に減らしたもので、いずれも２０ｍｍ程度の間隔で高さ調整できるように固定孔５１の位置を配慮している。このように、リンク部材３６側と手摺取付部１５側のいずれか一方又は両方に、リンク部材３６の固定部５０の取付位置変更用孔５２を設けておいて、高さ調整時に適宜選択する。一方、図１１の例は、リンク部材３６の固定部５０に長孔５３を設けて無段階に高さ調整できるから、同様に無段階に高さ調整できる図６及び図７に表した肘掛手摺２の前側の取付手段と合わせて用いると好ましい。締結にはボルトとナットを使用するが、他の締結方法を用いてもよい。
【００２０】
図１２及び図１３は、別例の肘掛手摺２の前側の高さ調整及び固定手段の例を表す断面図である。何れも前側高さ調整手段２９として楔スペーサ１４は用いず、ポール挿入部１２とポール状取付部１３とに雌ネジ部４０及び雄ネジ部４１を対に設け、両者の螺合によって無段階に高さ調整可能としている。図１２の例は、ポール状取付部１３の外周に雄ネジ部４１を設け、ポール挿入部１２の上端に雌ネジ部４０を形成し、調整ナット４２を回転させる構造である。図１３の例は、ポール状取付部１３の下端に雌ネジ部４０を形成し、ポール挿入部１２の内部に雄ネジ部（ボルト）４１を内挿固定し、肘掛手摺２に対して回動可能に垂下させたポール状取付部１３を回転させる構造で、雌ネジ部４０と雄ネジ部４１を設ける側を上下反対の関係にしている。いずれの例も、肘掛手摺２が左右別々に高さ調整でき、しかも安全確実に取り付けできる。
【００２１】
上記の前側高さ調整手段２９の場合にも、ポール状取付部１３に補助手摺２０を取り付けることができる。図１２の例は、補助手摺２０の連結部３９を筒状に形成してポール状取付部１３に外挿させ、上方に緩み止めのための押しネジを備えた押えナット４３を螺合して止めつけ、補助手摺２０を回動可能に取り付けした例である。また、図１３の例は、ポール状取付部１３に外周溝３２を設けて楔スペーサ１４を外嵌し、これに上方から補助手摺２０の連結部３９に設けたテーパ部３３を圧入することで、同じく補助手摺２０を回動可能に取り付けている。
【００２２】
本例（図１以下参照）の下フレーム４の支柱部７は、ポール挿入部１２から下の部分を後方へ屈曲させ、便器側面後ろ寄りに配置している。これにより、足元スペースが広くなるから、使用者は自由な姿勢をとることができ、介助者にも介助しやすくなる利点がある。このとき、図６に示すように、接地部６の後端を伸縮自在に構成すれば、トイレ床面９への固定が困難な場合でも接地部６の後端をトイレ後壁面４４に固定できる。具体的には、接地部６後端から挿入した壁取付具４５を後方へ引き出すことで長さ調節し、壁取付具４５の後端に取り付けた接面板４６をネジ止めする。壁取付具４５は、前後複数個の調整孔４７を穿設しておいて、接地部６に穿設した孔にネジ止めして長さ固定する。
【００２３】
本発明のトイレ用補助装置１は、高齢化に伴う身体機能の低下や身体障害の内容によって異なる個々の要求に応えようとするもので、主として肘掛手摺２の形状、種類、左右の取付高さの調整や、様々な症状に対応するオプションとしての補助手摺２０の取付手段の改良を提供する。よって、上記したフレーム３や補助手摺２０の構成は利用態様に合わせて適宜変更可能である。
【００２４】
図１４はフレーム３の他の実施例を表す右側面図、図１５は同正面図、図１６は同左側面図、図１７は同平面図である。本例のフレーム３も、それぞれ１本の金属製パイプを曲げ加工した左右の下フレーム４と上フレーム５とを溶接固定した一体型フレーム構造である。本例の特徴的部分は、図１５に示すように、支柱部７のポール挿入部１２から下の部分を正面視で側方へ下向きに暫時広がるよう形成し、左右の接地部６の設置間隔を広げることで足元スペースを広く開放的にした点にある。また、本例にも補助手摺２０を右側のポール状取付部１３に連結部３９を回動自在に取り付けることができる。本例の補助手摺２０は、連結部３９の上方から左側へ向けて立小便時の腹部の寄り掛かり部４８が延設されており、左端にはトイレ床面９まで下方に延びる支持部３８を設けている。支持部３８の上下中間位置には、ポール状取付部１３に当接させるストッパ部４９が設け、下端にはキャスタを取り付けて旋回しやすくしている。これにより、図１７中二点鎖線で示すように、立小便をした後に側方へ回転させておくことができ、補助手摺２０は便器８に腰掛ける時の邪魔にならない。
【００２５】
図１８も他のトイレ用補助装置１の構造を表す側面図、図１９は同平面図、図２０は同正面図である。本例のフレーム３は、支柱部７のポール挿入部１２から下の部分を後方へ屈曲させ、斜め下向きに便器８の後方のトイレ床面９にまで延ばし、更に前方へ屈曲させて接地部６を前向きに延設している。トイレ用補助装置１の前側に作用する負荷に対して設置状態が安定する利点があるほか、足元スペースも広く取ることができる。本例の肘掛手摺２の後側高さ調整手段３４による取り付けは、前側高さ調整手段２９として用いた楔スペーサ１４とテーパ部３３の楔作用による（図４参照）。具体的には、手摺取付部１５の前後中間位置にテーパ部３３を溶接等により取り付け、これに向けて肘掛手摺２の後部から垂下させたポール状取付部１３に楔スペーサ１４を外嵌してテーパ部３３に圧入する。このようにすると、前側及び後側高さ調整手段２９，３４の共通化が図れ、更に補助手摺２０の取付も共通化できる利点がある。ポール状取付部１３が操作盤１１（図１参照）の操作の邪魔になる場合は、ポール状取付部１３を短めに設定すればよい。
【００２６】
また、図２１に示すように、ポール状取付部１３を手摺取付部１５に単にネジ止めする後側高さ調整手段３４とすることも可能である。更に、本例では手摺取付部１５の段差を設けておらず、空間部１９を肘掛手摺２の下方全域にわたって設けている。これにより、図１９に示すように肘掛手摺２の握り部２８の範囲が後方へ延ばすことができる。本例の補助手摺２０は、起立時に引き寄せて使用する小型のものである。
【００２７】
図２２は、右側のポール状取付部１３に歩行用の補助手摺２０を取り付けた例を示す側面図である。補助手摺２０は回転させる必要がなく、トイレ床面９に直接固定して取り付けている。補助手摺２０は、トイレの入口の位置によって左右の取付位置は変更可能である。
【００２８】
図２３は肘掛手摺２の肘当て部２７と握り部２８とを別体に設けた例を示す側面図、図２４は同平面図である。左右のポール状取付部１３の上端に、立ち上がる時に力が入れやすい握り部２８をそれぞれ取り付け、肘当て部２７は後部をリンク部材３６によって高さ調整可能に、前部はテーパ部３３を設けてポール状取付部１３に楔スペーサ１４を介装して高さ調整可能に取り付ける。また、上フレーム５の下フレーム４への溶接結合形状は、他の実施例の突き当てとは異なり、手摺取付部１５の先端を下方へ屈曲させ支柱部７に添着している。
【００２９】
【発明の効果】
本発明は、高齢者等がトイレを使用する際、用便動作の起立及び着座では手で持ちやすく、また起立又は着座姿勢保持の補助ための肘掛手摺やオプション部材の取付に配慮した左右の肘掛部材を、各々独立して高さ調整できるトイレ用補助装置を提供する。これにより、用便動作及び用便動作に付随する動作又は挙動の負担を大きく低減できる効果が得られる。そして、本発明のトイレ用補助装置は構成が簡易で、取付も容易で、しかも製造コストを低廉に抑えることができる利点がある。このため、症状の変化に応じて順次選択導入することも可能で、前記高齢者等の負担軽減を広く提供できる効果がある。
【図面の簡単な説明】
【図１】本発明のトイレ用補助装置を設置した状態を表す側面図である。
【図２】同状態を表す平面図である。
【図３】同状態を表す正面図である。
【図４】肘掛手摺の前側の高さ調整及び固定手段の様子を表す拡大側面図である。
【図５】肘掛手摺の後側の高さ調整及び固定手段の様子を表す拡大側面図である。
【図６】別例の肘掛手摺の前側の取付手段である。
【図７】別例の肘掛手摺の前側の取付手段である。
【図８】本発明のトイレ用補助装置に対する補助手摺の取付手段の様子を表す要部断面図である。
【図９】別例の肘掛手摺の後側における高さ調整及び固定手段の様子を表す拡大側面図である。
【図１０】別例の肘掛手摺の後側における高さ調整及び固定手段の様子を表す拡大側面図である。
【図１１】別例の肘掛手摺の後側における高さ調整及び固定手段の様子を表す拡大側面図である。
【図１２】別例の肘掛手摺の前側の高さ調整及び固定手段の例を表す断面図である。
【図１３】別例の肘掛手摺の前側の高さ調整及び固定手段の例を表す断面図である。
【図１４】フレームの他の実施例を表す右側面図である。
【図１５】フレームの他の実施例を表す正面図である。
【図１６】フレームの他の実施例を表す左側面図である。
【図１７】フレームの他の実施例を表す平面図である。
【図１８】トイレ用補助装置の構造を表す側面図である。
【図１９】トイレ用補助装置の構造を表す平面図である。
【図２０】トイレ用補助装置の構造を表す正面図である。
【図２１】ポール状取付部を手摺取付部に単にネジ止めする後側高さ調整手段を表す側面図である。
【図２２】ポール状取付部に歩行用の補助手摺を取り付けた例を示す側面図である。
【図２３】肘掛手摺の肘当て部と握り部とを別体に設けた例を示す側面図である。
【図２４】肘掛手摺の肘当て部と握り部とを別体に設けた例を示す平面図である。
【符号の説明】
１　トイレ用補助装置
２　肘掛手摺
３　フレーム
４　下フレーム
５　上フレーム
６　接地部
７　支柱部
８　洋式便器
９　トイレ床面
１０　固定板
１１　操作盤
１２　ポール挿入部
１３　ポール状取付部
１４　楔スペーサ
１５　手摺取付部
１６　連結部
１７　上段
１８　下段
１９　空間部
２０　補助手摺
２１　斜行角部
２２　タンク
２３　緩衝パッド
２４　タンク
２５　背もたれ
２６　取付ブラケット
２７　肘当て部
２８　握り部
２９　前側高さ調整手段
３０　楔片
３１　内周突条
３２　外周溝
３３　テーパ部
３４　後側高さ調整手段
３５　枢着部
３６　リンク部材
３７　枢着部
３８　支持部
３９　連結部
４０　雌ネジ部
４１　雄ネジ部
４２　調整ナット
４３　押えナット
４４　トイレ後壁面
４５　壁取付具
４６　接面板
４７　調整孔
４８　寄り掛かり部
４９　ストッパ部
５０　固定部
５１　固定孔
５２　取付位置変更用孔
５３　長孔
【図１】
2004000347.tif 000003
【図２】
2004000347.tif 000004
【図３】
2004000347.tif 000005
【図４】
2004000347.tif 000006
【図５】
2004000347.tif 000007
【図６】
2004000347.tif 000008
【図７】
2004000347.tif 000009
【図８】
2004000347.tif 000010
【図９】
2004000347.tif 000011
【図１０】
2004000347.tif 000012
【図１１】
2004000347.tif 000013
【図１２】
2004000347.tif 000014
【図１３】
2004000347.tif 000015
【図１４】
2004000347.tif 000016
【図１５】
2004000347.tif 000017
【図１６】
2004000347.tif 000018
【図１７】
2004000347.tif 000019
【図１８】
2004000347.tif 000020
【図１９】
2004000347.tif 000021
【図２０】
2004000347.tif 000022
【図２１】
2004000347.tif 000023
【図２２】
2004000347.tif 000024
【図２３】
2004000347.tif 000025
【図２４】
2004000347.tif 000026